(57)【要約】  ネジや工具を使用することなく簡易迅速に取付作業を行うことが可能な棚板ユニットを提供することを課題とする。左右一対の棚受け部材Ｓ１，Ｓ１と、両棚受け部材Ｓ１，Ｓ１の離隔距離を保持する棚本体Ｓ２とを具備し、各棚受け部材Ｓ１の前側接続端部２０には、前側マウント部Ｆ１の前面に対向する前側対向部２１と、前側対向部２１から前側マウント部Ｆ１の後面側に向かって延出する前側掛止部２２とが形成されており、各棚受け部材Ｓ１の後側接続端部４０には、後側マウント部Ｒ１の後面に対向する後側対向部４１と、後側対向部４１から後側マウント部Ｒ１の前面側に向かって延出する後側掛止部４２とが形成されており、前側掛止部２２は、前側マウント部Ｆ１の取付孔Ｈに前側マウント部Ｆ１の前面側から挿入され、後側掛止部４２は、後側マウント部Ｒ１の取付孔Ｈに後側マウント部Ｒ１の後面側から挿入される。
2009133598.tif 000002
【特許請求の範囲】
【請求項１】
収納ラックの前面に沿って配置された左右一対の前側マウント部および後面に沿って配置された左右一対の後側マウント部に取り付けられる棚板ユニットであって、
左右一対の棚受け部材と、
前記両棚受け部材の離隔距離を保持する棚本体とを具備し、
前記各棚受け部材の前端部分には、前記前側マウント部の前面に対向する前側対向部と、前記前側対向部から前記前側マウント部の後面側に向かって延出する少なくとも一つの前側掛止部とが形成されており、
前記各棚受け部材の後端部分には、前記後側マウント部の後面に対向する後側対向部と、前記後側対向部から前記後側マウント部の前面側に向かって延出する少なくとも一つの後側掛止部とが形成されており、
前記前側掛止部は、前記前側マウント部に設けられた複数の取付孔のいずれか一つに前記前側マウント部の前面側から挿入され、
前記後側掛止部は、前記後側マウント部に設けられた複数の取付孔のいずれか一つに前記後側マウント部の後面側から挿入される、ことを特徴とする棚板ユニット。
【請求項２】
前記各棚受け部材の後端部分に、前後方向に進退可能な前後動部材が少なくとも一つ取り付けられており、
前記前後動部材は、後方へ向って移動したときに、前記後側マウント部に設けられた複数の取付孔のいずれか一つに前記後側マウント部の前面側から入り込み、前方へ向って移動したときに、前記取付孔から離脱することを特徴とする請求の範囲第１項に記載の棚板ユニット。
【請求項３】
前記棚本体の前端部分の左右両側のそれぞれに、左右方向に進退可能な左右動部材が取り付けられており、
右側の前記棚受け部材の前端部分の側面には、右側の前記左右動部材と係合可能な係合穴が形成されており、
左側の前記棚受け部材の前端部分の側面には、左側の前記左右動部材と係合可能な係合穴が形成されていることを特徴とする請求の範囲第２項に記載の棚板ユニット。
【請求項４】
前記棚本体の左右両側のそれぞれに、左右方向に進退可能な左右動部材が取り付けられており、
右側の前記棚受け部材の側面には、右側の前記左右動部材と係合可能な係合穴が形成されており、
左側の前記棚受け部材の側面には、左側の前記左右動部材と係合可能な係合穴が形成されていることを特徴とする請求の範囲第１項に記載の棚板ユニット。
【請求項５】
収納ラックの前面に沿って配置された前側マウント部および後面に沿って配置された後側マウント部に架設される棚受け部材であって、
前記前側マウント部と前記後側マウント部との間に配置される棚受け本体と、
前記棚受け本体の前端から前方に向かって張り出す前側接続端部と、
前記棚受け本体の後端から後方に向かって張り出す後側接続端部とを具備し、
前記前側接続端部は、前記前側マウント部の前面に対向する前側対向部と、前記前側対向部から前記前側マウント部の後面側に向かって延出する少なくとも一つの前側掛止部とを有し、
前記後側接続端部は、前記後側マウント部の後面に対向する後側対向部と、前記後側対向部から前記後側マウント部の前面側に向かって延出する少なくとも一つの後側掛止部とを有し、
前記前側掛止部は、前記前側マウント部に設けられた複数の取付孔のいずれか一つに前記前側マウント部の前面側から挿入され、
前記後側掛止部は、前記後側マウント部に設けられた複数の取付孔のいずれか一つに前記後側マウント部の後面側から挿入される、ことを特徴とする棚受け部材。
【請求項６】
前記後側接続端部に、前後方向に進退可能な前後動部材が少なくとも一つ取り付けられており、
前記前後動部材は、後方へ向って移動したときに、前記後側マウント部に設けられた複数の取付孔のいずれか一つに前記後側マウント部の前面側から入り込み、前方へ向って移動したときに、前記取付孔から離脱することを特徴とする請求の範囲第５項に記載の棚受け部材。
【請求項７】
前記前後動部材は、前記後側対向部と交差する位置に設けられており、
前記後側対向部には、後方へ向って移動した状態の前記前後動部材が挿入される開口部が形成されていることを特徴とする請求の範囲第６項に記載の棚受け部材。
【請求項８】
前記後側接続端部に、前方へ向って移動した前記前後動部材を後方へ押し戻す付勢部材が取り付けられていることを特徴とする請求の範囲第７項に記載の棚受け部材。
【請求項９】
前記後側接続端部には、前記後側掛止部が上下二箇所に形成されており、
上側の前記後側掛止部は、前記前後動部材が挿入される前記取付孔の上側の前記取付孔に挿入され、
下側の前記後側掛止部は、前記前後動部材が挿入される前記取付孔の下側の前記取付孔に挿入されることを特徴とする請求の範囲第７項に記載の棚受け部材。
【請求項１０】
前記後側掛止部の先端部分は、側方に向って延出しており、当該延出部分が前記後側マウント部の前面に対向することを特徴とする請求の範囲第５項に記載の棚受け部材。
【請求項１１】
前記前側接続端部には、前後方向に進退可能な前後動部材が少なくとも一つ取り付けられており、
前記前後動部材は、前方へ向って移動したときに、前記前側マウント部に設けられた複数の取付孔のいずれか一つに前記前側マウント部の後面側から入り込み、後方へ向って移動したときに、前記取付孔から離脱することを特徴とする請求の範囲第５項に記載の棚受け部材。
【請求項１２】
前記前側掛止部の先端部分は、側方に向って延出しており、当該延出部分が前記前側マウント部の後面に対向することを特徴とする請求の範囲第５項に記載の棚受け部材。
【発明の詳細な説明】
【技術分野】
【０００１】
本発明は、収納ラック用の棚板ユニットおよび棚受け部材に関する。
【背景技術】
【０００２】
ラックマウント型の電子・電気機器（例えば、サーバ、通信機器、放送機器、映像機器、音響機器など）の収納に適した収納ラックとしては、マウントフレーム（マウントアングルとも呼ばれている）を四隅に配置したものが一般的であり、電子・電気機器や棚板ユニットは、マウントフレームに固定する（例えば、日本国公開公報・特開２００４−２８８０２号や特開２００１−１２７４７０など参照）。【０００３】
この種の収納ラックは、その殆どが、ＪＩＳ規格（Japan Industrial Standard：日本工業規格）やＥＩＡ規格（Electronic Industrious Alliance：米国電子工業会）などに準拠した寸法・形状を具備している。ＪＩＳ規格やＥＩＡ規格に準拠した収納ラックでは、前側のマウントフレームのマウント部（以下、「前側マウント部」という。）が、収納ラックの前面に沿って配置されており、後側のマウントフレームのマウント部（以下、「後側マウント部」という。）が、収納ラックの後面に沿って配置されている。また、前側マウント部および後側マウント部には、前後方向（奥行方向）に貫通する複数の取付孔が形成されている。
【発明の開示】
【発明が解決しようとする課題】
【０００４】
棚板ユニットを各マウントフレームに取り付ける場合には、収納ラックの前面側もしくは後面側から左右のマウントフレームの間に棚板ユニットを挿入し、棚板ユニットのフランジに設けた挿通孔をマウント部の取付孔に合わせたうえで、ネジとゲージナットとで締結している。ところが、このような取付作業を行う場合には、棚板ユニットを手で保持しながら、１０数ｍｍ程度の大きさしかない小さなネジを取付孔に組み付け、さらに、ドライバなどの工具を取り扱う必要があるので、作業の簡略化・迅速化を図ることができない。棚板ユニットをマウントフレームから取り外す場合も同様である。【０００５】
このような観点から、本発明は、収納ラック用の棚板ユニットであって、マウントフレームへの取付作業およびマウントフレームからの取外し作業をネジや工具を使用することなく簡易迅速に行うことが可能な棚板ユニットを提供することを課題とする。また、本発明は、棚板ユニットを構成する棚受け部材であって、マウントフレームへの取付作業およびマウントフレームからの取外し作業をネジや工具を使用することなく簡易迅速に行うことが可能な棚受け部材を提供することを課題とする。
【課題を解決するための手段】
【０００６】
このような課題を解決する本発明に係る棚板ユニットは、収納ラックの前面に沿って配置された左右一対の前側マウント部および後面に沿って配置された左右一対の後側マウント部に取り付けられる棚板ユニットであって、左右一対の棚受け部材と、前記両棚受け部材の離隔距離を保持する棚本体とを具備し、前記各棚受け部材の前端部分には、前記前側マウント部の前面に対向する前側対向部と、前記前側対向部から前記前側マウント部の後面側に向かって延出する少なくとも一つの前側掛止部とが形成されており、前記各棚受け部材の後端部分には、前記後側マウント部の後面に対向する後側対向部と、前記後側対向部から前記後側マウント部の前面側に向かって延出する少なくとも一つの後側掛止部とが形成されており、前記前側掛止部は、前記前側マウント部に設けられた複数の取付孔のいずれか一つに前記前側マウント部の前面側から挿入され、前記後側掛止部は、前記後側マウント部に設けられた複数の取付孔のいずれか一つに前記後側マウント部の後面側から挿入される、ことを特徴とする。【０００７】
前側対向部を前側マウント部の前面に対向させるとともに、後側対向部を後側マウント部の後面に対向させると、ネジ止め等を行わずとも、棚受け部材の前後方向への移動が阻止される。また、前側掛止部を前側マウント部の取付孔に挿入するとともに、後側掛止部を後側マウント部の取付孔に挿入すると、ネジ止め等を行わずとも、棚受け部材の上下方向への移動が阻止される。そして、両棚受け部材の離隔距離を棚本体で保持すると、各棚受け部材の左右方向への移動が阻止され、その結果、棚受け部材の前後方向への移動が阻止された状態（すなわち、前側対向部が前側マウント部の前面に対向し、後側対向部が後側マウント部の後面に対向した状態）、および、棚受け部材の上下方向への移動が阻止された状態（すなわち、前側掛止部が前側マウント部の取付孔に入り込み、後側掛止部が後側マウント部の取付孔に入り込んだ状態）が維持されるようになる。このように、本発明によれば、ネジ止め等の煩雑な作業を行わずとも、棚板ユニットをマウントフレームに固定することが可能となる。【０００８】
本発明に係る棚板ユニットにおいては、前記各棚受け部材の後端部分に、前後方向に進退可能な前後動部材を少なくとも一つ取り付けることが望ましい。前記前後動部材は、後方へ向って移動したときに、前記後側マウント部に設けられた複数の取付孔のいずれか一つに前記後側マウント部の前面側から入り込み、前方へ向って移動したときに、前記取付孔から離脱するように構成する。このようにすると、棚受け部材の後端部分の左右方向への移動が阻止されるようになるので、棚受け部材の後端部分の取付状態が安定するようになる。なお、前後動部材には、少なくともラッチボルト、デッドボルト、かんぬきが含まれる。【０００９】
棚受け部材の後端部分に前後動部材を設けた場合には、前記棚本体の前端部分の左右両側のそれぞれに、左右方向に進退可能な左右動部材を取り付け、右側の前記棚受け部材の前端部分の側面に、右側の前記左右動部材と係合可能な係合穴を形成し、左側の前記棚受け部材の前端部分の側面に、左側の前記左右動部材と係合可能な係合穴を形成することが好ましい。このようにすると、棚本体の前端部分の左右両側と左右の棚受け部材の前端部分とが係合し、棚受け部材の前端部分の左右方向への移動が阻止されるようになるので、棚受け部材の前端部分の取付状態が安定するようになる。なお、左右動部材には、少なくともラッチボルト、デッドボルト、かんぬきが含まれる。【００１０】
左右動部材は、棚本体の前端部分以外の部位に設けてもよい。すなわち、本発明においては、前記棚本体の左右両側のそれぞれに、左右方向に進退可能な左右動部材を取り付け、右側の前記棚受け部材の側面に、右側の前記左右動部材と係合可能な係合穴を形成し、左側の前記棚受け部材の側面に、左側の前記左右動部材と係合可能な係合穴を形成してもよい。このようにすると、棚本体の左右両側と左右の棚受け部材とが係合し、棚受け部材の左右方向への移動が阻止されるようになるので、棚受け部材の取付状態が安定するようになる。【００１１】
前記した課題を解決する本発明に係る棚受け部材は、収納ラックの前面に沿って配置された前側マウント部および後面に沿って配置された後側マウント部に架設される棚受け部材であって、前記前側マウント部と前記後側マウント部との間に配置される棚受け本体と、前記棚受け本体の前端から前方に向かって張り出す前側接続端部と、前記棚受け本体の後端から後方に向かって張り出す後側接続端部とを具備し、前記前側接続端部は、前記前側マウント部の前面に対向する前側対向部と、前記前側対向部から前記前側マウント部の後面側に向かって延出する少なくとも一つの前側掛止部とを有し、前記後側接続端部は、前記後側マウント部の後面に対向する後側対向部と、前記後側対向部から前記後側マウント部の前面側に向かって延出する少なくとも一つの後側掛止部とを有し、前記前側掛止部は、前記前側マウント部に設けられた複数の取付孔のいずれか一つに前記前側マウント部の前面側から挿入され、前記後側掛止部は、前記後側マウント部に設けられた複数の取付孔のいずれか一つに前記後側マウント部の後面側から挿入される、ことを特徴とする。【００１２】
前側対向部を前側マウント部の前面に対向させるとともに、後側対向部を後側マウント部の後面に対向させると、ネジ止め等を行わずとも、棚受け部材の前後方向への移動が阻止される。また、前側掛止部を前側マウント部の取付孔に挿入するとともに、後側掛止部を後側マウント部の取付孔に挿入すると、ネジ止め等を行わずとも、棚受け部材の上下方向への移動が阻止される。このように、本発明によれば、ネジ止め等の煩雑な作業を行わずとも、棚受け部材をマウントフレームに取り付けることが可能となる。【００１３】
なお、前側掛止部の個数および後側掛止部の個数に制限はなく、それぞれ一つとしても差し支えないが、二つ以上としてもよい。棚受け部材に作用する荷重は、前側掛止部および後側掛止部を介して各マウント部に伝達されるので、前側掛止部の個数および後側掛止部の個数を増やすと、棚受け部材の耐荷重を高めることが可能になる。【００１４】
本発明に係る棚受け部材においては、前記後側接続端部に、前後方向に進退可能な前後動部材を取り付けることが好ましい。前記前後動部材は、後方へ向って移動したときに、前記後側マウント部に設けられた複数の取付孔のいずれか一つに前記後側マウント部の前面側から入り込み、前方へ向って移動したときに、前記取付孔から離脱するように構成する。このようにすると、後側接続端部の左右方向への移動が阻止され、その結果、後側接続端部の前後方向への移動が阻止された状態（すなわち、後側対向部が後側マウント部の後面に対向した状態）、および、後側接続端部の上下方向への移動が阻止された状態（すなわち、後側掛止部が後側マウント部の取付孔に入り込んだ状態）が維持されるようになるので、後側接続端部の取付状態が安定するようになる。【００１５】
本発明に係る棚受け部材においては、前記後側対向部と交差する位置に前記前後動部材を設けるとともに、前記後側対向部に、後方へ向って移動した状態の前記前後動部材が挿入される開口部を形成することが好ましい。このようにすると、前後動部材の先端部分を後側マウント部の後面側から視認できるようになるので、前後動部材が後側マウント部の取付孔に挿入されているか否かを目視にて確認することが可能となる。【００１６】
本発明に係る棚受け部材においては、前方へ向って移動した前記前後動部材を後方へ押し戻す付勢部材を前記後側接続端部に取り付けることが好ましい。このようにすると、前後動部材を後方へ移動させる操作（すなわち、前後動部材を取付孔に挿入するための操作）が不要になるので、棚受け部材を簡易迅速にマウントフレームに取り付けることが可能となる。【００１７】
後側対向部と交差する位置に前後動部材を設けた場合には、前記後側掛止部を上下二箇所に形成することが好ましい。この場合、上側の前記後側掛止部は、前記前後動部材が挿入される前記取付孔の上側の前記取付孔に挿入されるような位置に形成し、下側の前記後側掛止部は、前記前後動部材が挿入される前記取付孔の下側の前記取付孔に挿入されるような位置に形成する。このようにすると、棚受け部材の取付状態がより一層安定するようになる。【００１８】
本発明に係る棚受け部材においては、前記後側掛止部の先端部分を側方に向って延出し、当該延出部分を前記後側マウント部の前面に対向させることが好ましい。このようにすると、後側対向部が後側マウント部の後面に対向するのに加えて、後側掛止部の延出部分が後側マウント部の前面に対向するようになるので、ネジ止め等を行わずとも、後側接続端部の前後方向への移動が阻止されるようになる。【００１９】
同様に、前記前側掛止部の先端部分を側方に向って延出し、当該延出部分を前記前側マウント部の後面に対向させることが好ましい。このようにすると、前側対向部が前側マウント部の前面に対向するのに加えて、前側掛止部の延出部分が前側マウント部の後面に対向するようになるので、ネジ止め等を行わずとも、前側接続端部の前後方向への移動が阻止されるようになる。【００２０】
本発明に係る棚受け部材においては、前記前側接続端部に、前後方向に進退可能な前後動部材を取り付けてもよい。前記前後動部材は、前方へ向って移動したときに、前記前側マウント部に設けられた複数の取付孔のいずれか一つに前記前側マウント部の後面側から入り込み、後方へ向って移動したときに、前記取付孔から離脱するように構成する。このようにすると、前側接続端部の左右方向への移動が阻止され、その結果、前側接続端部の前後方向への移動が阻止された状態（すなわち、前側対向部が前側マウント部の前面に対向した状態）、および、前側接続端部の上下方向への移動が阻止された状態（すなわち、前側掛止部が前側マウント部の取付孔に入り込んだ状態）が維持されるようになるので、前側接続端部の取付状態が安定するようになる。
【発明の効果】
【００２１】
本発明に係る棚板ユニットおよび棚受け部材によると、ネジや工具を使用することなくマウントフレームへの取付作業およびマウントフレームからの取外し作業を行うことが可能になるので、取付・取外し作業を簡易迅速に行うことが可能になる。
【図面の簡単な説明】
【００２２】
【図１】収納ラックの概略構成を示す斜視図である。
【図２】本発明に係る棚板ユニットの一実施形態を示す斜視図である。
【図３】本発明に係る棚受け部材の一実施形態を示す斜視図である。
【図４】本発明に係る棚受け部材の一実施形態を示す分解斜視図である。
【図５】（ａ）は棚受け部材の構成部品であるアウターレールの側面図、（ｂ）は同じく平面図、（ｃ）は（ｂ）のＸ１−Ｘ１線断面図である。
【図６】（ａ）は棚受け部材の前端部分を示す斜視図、（ｂ）は同じく平面図である。
【図７】（ａ）は棚受け部材の構成部品であるインナーレールの側面図、（ｂ）は同じく平面図、（ｃ）は（ｂ）のＸ２−Ｘ２線断面図である。
【図８】棚受け部材を後方下側から見た斜視図である。
【図９】（ａ）は棚受け部材の後端部分を示す斜視図、（ｂ）は同じく平面図である。
【図１０】棚受け部材の後端部分を図９の（ａ）のＸ３方向から見た斜視図である。
【図１１】（ａ）は棚本体を示す平面図、（ｂ）は（ａ）のＸ４−Ｘ４線断面図、（ｃ）は棚本体を示す正面図である。
【図１２】（ａ）および（ｂ）は棚受け部材の取付手順を説明するための斜視図である。
【図１３】（ａ）〜（ｃ）は棚受け部材の後端部分の接続手順を説明する断面図である。
【図１４】（ａ）および（ｂ）は棚本体の取付手順を説明するための拡大平面図である。
【符号の説明】
【００２３】
Ｓ      棚板ユニット
Ｓ１    棚受け部材
１０    アウターレール本体（棚受け本体）
２０    前側接続端部（前端部分）
２１    前側対向部
２２    前側掛止部
２４ａ  係合穴
３０    インナーレール本体（棚受け本体）
４０    後側接続端部（後端部分）
４１    後側対向部
４２    後側掛止部
４２ｃ  開口部
４４ａ  前後動部材
４４ｂ  付勢部材
Ｓ２    棚本体
６４ａ  左右動部材
Ｃ      収納ラック
Ｌ１    前側マウント部
Ｒ１    後側マウント部
Ｈ      取付孔
【発明を実施するための最良の形態】
【００２４】
本発明を実施するための最良の形態を、添付した図面を参照しつつ詳細に説明する。
図１に示すように、本実施形態に係る棚板ユニット（シェルフユニット）Ｓは、ラックマウント型の電子・電気機器（例えば、サーバ、通信機器、映像・音響機器など）の収納に適した収納ラック（キャビネット）Ｃに取り付けられるものである。なお、以下の説明における「前−後」「左−右」「上−下」は、図１の状態を基準にする。【００２５】
（収納ラックＣの構成）
本実施形態の収納ラックＣは、ＥＩＡ規格（Electronic Industrious Alliance：米国電子工業会）に準拠した寸法・形状を具備する「１９インチ収納ラック」である。収納ラックＣは、矩形枠状のベースＣ１、このベースＣ１の四隅に立設された四本の支柱Ｃ２，Ｃ２，…、これら支柱Ｃ２，Ｃ２，…の上端部に取り付けられた天板Ｃ３などを具備している。なお、図示は省略するが、収納ラックＣの外装となる前面扉、側面板および背面板を支柱Ｃ２，Ｃ２，…に取り付けても差し支えない。【００２６】
収納ラックＣの内部には、図２に示すように、左右一対の前側マウントフレームＦ，Ｆおよび左右一対の後側マウントフレームＲ，Ｒが配置されている。【００２７】
前側マウントフレームＦは、収納ラックＣ（図１参照）の前側角部に配置される金属製の部材であり、収納ラックＣの前面に沿って上下方向に配置される前側マウント部Ｆ１と、前側の支柱Ｃ２（図１参照）に固定される固定部Ｆ２とを具備している。前側マウント部Ｆ１には、上下方向に並ぶ複数の取付孔Ｈ，Ｈ，…が形成されている。取付孔Ｈは、前後方向（奥行方向）に貫通する矩形形状の貫通孔である。複数の取付孔Ｈ，Ｈ，…は、ＥＩＡ規格で規定されたユニバーサルピッチと呼ばれる間隔で並んでいる。なお、ＥＩＡ規格では、高さ４４．４５ｍｍ（＝１．７５インチ）を１ユニット（１Ｕ）としていて、１ユニットにつき三つの取付孔Ｈ，Ｈ，Ｈを配置する形式をユニバーサルピッチと呼んでいる。【００２８】
左右に隣り合う前側マウント部Ｆ１，Ｆ１は、同一の鉛直面内に配置されており、同じ高さに位置する取付孔Ｈ，Ｈの中心間隔は、ＥＩＡ規格に従い、４６５．１ｍｍである。なお、以下の説明においては、左側の前側マウント部Ｆ１の右側縁および右側の前側マウント部Ｆ１の左側縁（すなわち、各前側マウント部Ｆ１の左右の側縁のうち、他方の前側マウント部Ｆ１側の側縁）を「内側縁」と称する場合がある。【００２９】
後側マウントフレームＲは、収納ラックＣ（図１参照）の後側角部に配置される金属製の部材であり、収納ラックＣの後面に沿って上下方向に配置される後側マウント部Ｒ１と、後側の支柱Ｃ２（図１参照）に固定される固定部Ｒ２とを具備している。後側マウント部Ｒ１には、上下方向に並ぶ複数の取付孔Ｈ，Ｈ，…が形成されている。この取付孔Ｈも、前後方向（奥行方向）に貫通する矩形形状の貫通孔であり、ＥＩＡ規格で規定されたユニバーサルピッチと呼ばれる間隔で並んでいる。【００３０】
左右に隣り合う後側マウント部Ｒ１，Ｒ１は、同一の鉛直面内に配置されており、同じ高さに位置する取付孔Ｈ，Ｈの中心間隔は、ＥＩＡ規格に従い、４６５．１ｍｍである。また、各後側マウント部Ｒ１は、その前方に位置する前側マウント部Ｆ１と間隔をあけて対向している。なお、以下の説明においては、左側の後側マウント部Ｒ１の右側縁および右側の後側マウント部Ｒ１の左側縁（すなわち、各後側マウント部Ｒ１の左右の側縁のうち、他方の後側マウント部Ｒ１側の側縁）を「内側縁」と称する場合がある。【００３１】
（棚板ユニットＳの全体構成）
棚板ユニットＳは、左右一対の棚受け部材Ｓ１，Ｓ１と、左右の棚受け部材Ｓ１，Ｓ１の離隔距離を保持する棚本体Ｓ２とを具備している。【００３２】
（棚受け部材Ｓ１の構成）
棚受け部材Ｓ１は、前後に隣り合う前側マウント部Ｆ１および後側マウント部Ｒ１に架設されるものである。本実施形態の棚受け部材Ｓ１は、長さ調節可能（伸縮可能）な構成を具備している。【００３３】
なお、左右の棚受け部材Ｓ１，Ｓ１は、鏡像対称（面対称）の関係にあるので、以下では、収納ラックＣの正面から見て左側に配置される棚受け部材Ｓ１について説明を行い、右側の棚受け部材Ｓ１についての説明を省略する。【００３４】
本実施形態の棚受け部材Ｓ１は、図３および図４に示すように、アウターレールＳ１outと、このアウターレールＳ１outの内空部に挿入されるインナーレールＳ１inとを具備している。【００３５】
アウターレールＳ１outは、前後方向に沿って水平に配置される金属製の棒状部材であり、棚本体Ｓ２（図２参照）の載置面を備えたアウターレール本体１０と、このアウターレール本体１０の前端から前方に向って張り出す前側接続端部２０とを具備している。【００３６】
アウターレール本体１０は、前側マウント部Ｆ１と後側マウント部Ｒ１との間に配置される部分であり、後記するインナーレール本体３０とともに棚受け本体を構成する。図４および図５の（ａ）〜（ｃ）にも示すように、本実施形態のアウターレール本体１０は、前後方向に延びる上板部１１と、この上板部１１の一方の側端縁（本実施形態では左端縁）から下方向に向って延出する側板部１２と、この側板部１２の下端縁から側方へ向って延出する下板部１３と、この下板部１３の先端縁から上板部１１に向って立ち上がる前後二つの下ガイド部１４，１４と、上板部１１の他方の側端縁（本実施形態では右端縁）から下方向に向って延出する上ガイド部１５と、この上ガイド部１５の後端部に形成された棚板ストッパー１６とを具備している。このような形状のアウターレール本体１０は、ステンレス鋼板やアルミニウム合金板にプレス加工等を施すことにより形成することができる。【００３７】
上板部１１は、棚本体Ｓ２（図２参照）が載置される部分であり、上板部１１の上面（載置面）は、棚本体Ｓ２の下面に当接する。上板部１１の右側縁（他方の棚受け部材Ｓ１側の端縁）は、前側マウント部Ｆ１の内側縁と後側マウント部Ｒ１の内側縁とを結ぶ線よりも右側（他方の棚受け部材Ｓ１側）に位置している。【００３８】
側板部１２は、アウターレール本体１０の剛性（断面二次モーメント）を高める役割を担うとともに、上板部１１に作用した力を前側接続端部２０に伝達する役割を担う部分である。本実施形態の側板部１２は、上板部１１の左端縁の全長に亘って形成されている（図５の（ｂ）参照）。【００３９】
下板部１３は、インナーレールＳ１inを下側から支持する役割を担う部分である（図５の（ｃ）参照）。本実施形態の下板部１３は、他方（右側）の棚受け部材Ｓ１に向って延出している。また、下板部１３は、側板部１２の下端縁の全長に亘って形成されている（図５の（ａ）参照）。【００４０】
下ガイド部１４は、インナーレールＳ１inの横方向への脱落を防止する役割を担う部分である（図５の（ｃ）参照）。本実施形態では、二つの下ガイド部１４，１４が、前後に間隔をあけて並設されている（図５の（ａ）参照）。【００４１】
上ガイド部１５は、インナーレールＳ１inの横方向への脱落を防止する役割を担う部分である（図５の（ｃ）参照）。本実施形態の上ガイド部１５は、上板部１１の右端縁の全長に亘って形成されている（図５の（ｂ）参照）。【００４２】
棚板ストッパー１６は、棚本体Ｓ２（図２参照）の後方向への脱落を防止する役割を担う部分である。本実施形態の棚板ストッパー１６は、上ガイド部１５の後端部から他方の棚受け部材Ｓ１側に向って張り出していて、棚本体Ｓ２の後面に対向する。【００４３】
図６の（ａ）および（ｂ）に示すように、前側接続端部２０は、前側マウント部Ｆ１の前面に対向する前側対向部２１と、この前側対向部２１から前側マウント部Ｆ１の後面側に向って延出する上下一対の前側掛止部２２，２２と（図３参照）、アウターレール本体１０と前側対向部２１とを繋ぐ前側繋ぎ部２３と、この前側繋ぎ部２３の側面に設けられた受け座２４とを具備している。このような形状の前側接続端部２０は、ステンレス鋼板やアルミニウム合金板にプレス加工等を施すことにより形成することができる。なお、前側接続端部２０のうち、前側対向部２１、前側掛止部２２，２２および前側繋ぎ部２３は、アウターレール本体１０と一体に成形されている。【００４４】
前側対向部２１は、前側マウント部Ｆ１の前面に重ねられる部分である。本実施形態の前側対向部２１は、１ユニットの高さ寸法内に配置される複数（本実施形態では三つ）の取付孔Ｈ，Ｈ，Ｈを覆い隠す平板部２１ａと、１ユニット内の取付孔Ｈ，Ｈ，Ｈのうちの中段の取付孔Ｈと同じ高さ位置に形成された突部２１ｂとを具備している。平板部２１ａは、１ユニット内に納まる高さ寸法（≦４４．４５ｍｍ）を具備している。突部２１ｂは、平板部２１ａの左端縁を起点として左側方（前側マウント部Ｆ１の内側縁から離れる方向）に向って延出しており、中段の取付孔Ｈの左側において前側マウント部Ｆ１の前面に対向する。【００４５】
前側掛止部２２は、前側マウント部Ｆ１の前面側から取付孔Ｈに挿入される部分である。前側掛止部２２の先端部分は、左側方（前側マウント部Ｆ１の内側縁から離れる方向）に向って延出されており、この延出部分が前側マウント部Ｆ１の後面に対向する。すなわち、本実施形態の前側掛止部２２は、平板部２１ａの左端縁を起点として後方に向って延出する挿入部２２ａと、この挿入部２２ａの先端縁（後端縁）を起点として左側方に向って延出する延長部２２ｂとを具備していて、平面視Ｌ字状を呈している。【００４６】
挿入部２２ａは、取付孔Ｈの下側の孔壁に当接し、前側接続端部２０に作用する鉛直荷重は、挿入部２２ａを介して前側マウント部Ｆ１に伝達される。突部２１ｂの上側に位置する前側掛止部２２は、１ユニット内の連続する三つの取付孔Ｈ，Ｈ，Ｈのうちの上段の取付孔Ｈと同じ高さ位置に配置されていて、その延長部２２ｂは、上段の取付孔Ｈの左側において前側マウント部Ｆ１の後面に対向する。図３に示すように、突部２１ｂの下側に位置する前側掛止部２２は、１ユニット内の取付孔Ｈ，Ｈ，Ｈのうちの下段の取付孔Ｈと同じ高さ位置に配置されていて、その延長部２２ｂは、下段の取付孔Ｈの左側において前側マウント部Ｆ１の後面に対向する。【００４７】
なお、前側接続端部２０に上下二つの前側掛止部２２，２２を具備させると、前側マウント部Ｆ１との接続部分における曲げ剛性が高まるとともに、一の前側掛止部２２に係る負荷（鉛直荷重）が減少するので、前側接続端部２０の耐力を高めることが可能となり、ひいては、棚板ユニットＳ（図２参照）の耐荷重を高めることが可能になる。【００４８】
図６の（ａ）および（ｂ）に示すように、前側繋ぎ部２３は、アウターレール本体１０の側板部１２の前端縁から前側対向部２１に至る部分である。本実施形態の前側繋ぎ部２３は、側板部１２と前側対向部２１との間に形成された平面視クランク状を呈する部分であり、アウターレール本体１０の側板部１２の前端縁から前方へ向って延出する第一平板部２３ａと、この第一平板部２３ａの前端縁から右側方に向って延出する第二平板部２３ｂと、この第二平板部２３ｂの右端縁から前方に向って延出する第三平板部２３ｃとを具備している。第二平板部２３ｂは、前側対向部２１と前後方向に間隔をあけて対向しており、第三平板部２３ｃの前端部は、前側マウント部Ｆ１の内側縁の右側に位置している。【００４９】
なお、本実施形態では、側板部１２から延出した部分を前側繋ぎ部２３とし、その高さ寸法を１ユニットに含まれる複数（本実施形態では三つ）の取付孔Ｈ，Ｈ，Ｈに亘る高さ寸法（本実施形態では、前側対向部２１の平板部２１ａと同じ高さ寸法）としているので、前側接続端部２０における上下方向の曲げ剛性（上下方向の力に対する抵抗力）が高い。また、前側繋ぎ部２３を平面視クランク状としているので、前側接続端部２０における左右方向の曲げ剛性（左右方向の力に対する抵抗力）が高い。【００５０】
受け座２４は、前側繋ぎ部２３の第三平板部２３ｃの側面（他方の棚受け部材Ｓ１と対向する面）に設けられている。受け座２４の高さ方向の中央部には、矩形形状の係合穴２４ａが形成されている。係合穴２４ａは、棚本体Ｓ２の後記する左右動部材６４ａ（図１４参照）と対向する位置に形成されている。本実施形態の受け座２４は、平板に折曲げ加工等を施して形成した部材からなる。この部材は、受け座２４となる平面視Ｕ字状（コ字状）を呈する部分と、第一平板部２３ａおよび第二平板部２３ｂに沿う平面視Ｌ字状を呈する部分とを具備していて、溶接、接着、ビス止め等の手段により、前側繋ぎ部２３に固着されている。【００５１】
インナーレールＳ１inは、前後方向に沿って水平に配置される金属製の棒状部材であり、アウターレール本体１０の内空部に挿入されるインナーレール本体３０と、このインナーレール本体３０の後端から後方に向って張り出す後側接続端部４０とを具備している。【００５２】
インナーレール本体３０は、前側マウント部Ｆ１と後側マウント部Ｒ１との間に配置される部分であり（図３参照）、アウターレール本体１０とともに棚受け本体を構成する。本実施形態のインナーレール本体３０は、図４および図７の（ａ）〜（ｃ）に示すように、前後方向に延びる上板部３１と、この上板部３１の一方の側端縁（本実施形態では左端縁）から下方向に向って延出する側板部３２と、この側板部３２の下端縁から側方へ向って延出する下板部３３と、この下板部３３の先端縁から上板部３１に向って立ち上がる下ガイド部３４と、上板部３１の他方の側端縁（本実施形態では右端縁）から下方向に向って延出する上ガイド部３５と、下ガイド部３４の前端部に設けられた抜止め３６とを具備している。このような形状のインナーレール本体３０は、ステンレス鋼板やアルミニウム合金板にプレス加工等を施すことにより形成することができる。【００５３】
図７の（ｃ）に示すように、インナーレール本体３０は、アウターレール本体１０の内形形状（内面）に沿う外形形状（外面）に成形されていて、インナーレール本体３０の上板部３１、側板部３２、下板部３３、下ガイド部３４および上ガイド部３５は、それぞれアウターレール本体１０の上板部１１、側板部１２、下板部１３、下ガイド部１４および上ガイド部１５に対向する。【００５４】
側板部３２は、インナーレール本体３０の剛性（断面二次モーメント）を高める役割を担うとともに、アウターレール本体１０の上板部１１を介して上板部３１に作用した力を後側接続端部４０に伝達する役割を担う部分である。本実施形態の側板部３２は、上板部３１の左端縁の全長に亘って形成されている（図７の（ｂ）参照）。【００５５】
抜け止３６は、図８に示すように、インナーレール本体３０のアウターレール本体１０からの抜け出しを防止する役割を担う部分であり、アウターレール本体１０の下ガイド部１４，１４の間に位置している。本実施形態の抜け止３６は、下ガイド部３４の側面に螺入された雄ネジからなる。抜け止３６は、インナーレール本体３０をアウターレール本体１０に挿入した後に取り付ける。【００５６】
インナーレール本体３０は、アウターレール本体１０の内空部に挿入された状態で前後方向へスライドするが、その範囲は、抜け止３６により制限されている。すなわち、インナーレール本体３０は、抜け止３６が前側の下ガイド部１４の後端に当接する位置までアウターレール本体３０の内空部を前方にスライドし、抜け止３６が後側の下ガイド部１４の前端に当接するまで後方にスライドする。【００５７】
図９の（ａ）および（ｂ）に示すように、後側接続端部４０は、後側マウント部Ｒ１の後面に対向する後側対向部４１と、この前側対向部４１から後側マウント部Ｒ１の前面側に向って延出する上下一対の後側掛止部４２，４２（図１０参照）と、インナーレール本体３０と後側対向部４１とを繋ぐ後側繋ぎ部４３と、この後側対向部４１の前側に設けられたラッチ機構４４（図９の（ｂ）参照）とを具備している。後側接続端部４０のうち、後側対向部４１、後側掛止部４２，４２および後側繋ぎ部４３は、ステンレス鋼板やアルミニウム合金板にプレス加工等を施すことにより形成することができる。【００５８】
後側対向部４１は、後側マウント部Ｒ１の後面に重ねられる部分である。本実施形態の後側対向部４１は、１ユニットの高さ寸法内に配置される複数（本実施形態では三つ）の取付孔Ｈ，Ｈ，Ｈを覆い隠す平板部４１ａと、１ユニット内の取付孔Ｈ，Ｈ，Ｈのうちの中段の取付孔Ｈと同じ高さ位置に形成された突部４１ｂとを具備している。平板部４１ａは、１ユニット内に納まる高さ寸法（≦４４．４５ｍｍ）を具備している。突部４１ｂは、平板部４１ａの左端縁を起点として左側方（後側マウント部Ｒ１の内側縁から離れる方向）に向って延出しており、中段の取付孔Ｈの左側において後側マウント部Ｒ１の後面に対向する。【００５９】
平板部４１ａの高さ方向の中央部には、平板部４１ａを前後に貫通する開口部４１ｃが形成されている。開口部４１ｃは、１ユニット内の連続する三つの取付孔Ｈ，Ｈ，Ｈのうちの中段の取付孔Ｈと同じ高さに位置しており、後側掛止部４２，４２を上下二つの取付孔Ｈ，Ｈに挿入すると、中段の取付孔Ｈと開口部４１ｃとが一直線上に並ぶようになる。【００６０】
後側掛止部４２は、後側マウント部Ｒ１の後面側から取付孔Ｈに挿入される部分である。後側掛止部４２の先端部分は、左側方（後側マウント部Ｒ１の内側縁から離れる方向）に向って延出されており、この延出部分が後側マウント部Ｒ１の前面に対向する。すなわち、本実施形態の後側掛止部４２は、平板部４１ａの左端縁を起点として前方に向って延出する挿入部４２ａと、この挿入部４２ａの先端縁（前端縁）を起点として左側方に向って延出する延長部４２ｂとを具備していて、平面視Ｌ字状を呈している。【００６１】
挿入部４２ａは、取付孔Ｈの下側の孔壁に当接し、後側接続端部４０に作用する鉛直荷重は、挿入部４２ａを介して後側マウント部Ｒ１に伝達される。突部４１ｂの上側に位置する後側掛止部４２は、１ユニット内の連続する三つの取付孔Ｈ，Ｈ，Ｈのうちの上段の取付孔Ｈと同じ高さ位置に配置されていて、その延長部４２ｂは、上段の取付孔Ｈの左側において後側マウント部Ｒ１の前面に対向する。また、突部４１ｂの下側に位置する前側掛止部４２は、１ユニット内の取付孔Ｈ，Ｈ，Ｈのうちの下段の取付孔Ｈと同じ高さ位置に配置されていて、その延長部４２ｂは、下段の取付孔Ｈの左側において後側マウント部Ｒ１の前面に対向する。【００６２】
なお、後側接続端部４０に上下二つの後側掛止部４２，４２を具備させると（図１０参照）、後側マウント部Ｒ１との接続部分における曲げ剛性が高まるとともに、一の後側掛止部４２に係る負荷（鉛直荷重）が減少するので、後側接続端部４０の耐力を高めることが可能となり、ひいては、棚板ユニットＳ（図２参照）の耐荷重を高めることが可能になる。【００６３】
後側繋ぎ部４３は、インナーレール本体３０の側板部３２の後端縁から後側対向部４１に至る部分である。本実施形態の後側繋ぎ部４３は、側板部３２と前側対向部４１との間に形成された平面視クランク状を呈する部分であり、インナーレール本体３０の側板部３２の後端縁から後方へ向って延出する第一平板部４３ａと、この第一平板部４３ａの後端縁から右側に向って延出する第二平板部４３ｂと、この第二平板部４３ｂの右端縁から後方に向って延出する第三平板部４３ｃとを具備している。第二平板部４３ｂは、後側対向部４１と前後方向に間隔をあけて対向しており、第三平板部４３ｃの後端部は、後側マウント部Ｒ１の内側縁の右側に位置している。【００６４】
なお、本実施形態では、側板部３２から延出した部分を後側繋ぎ部４３とし、その高さ寸法を１ユニットに含まれる複数（本実施形態では三つ）の取付孔Ｈ，Ｈ，Ｈに亘る高さ寸法（本実施形態では、後側対向部４１の平板部４１ａと同じ高さ寸法）としているので、後側接続端部４０における上下方向の曲げ剛性（上下方向の力に対する抵抗力）が高い。また、後側繋ぎ部４３を平面視クランク状としているので、後側接続端部４０における左右方向の曲げ剛性（左右方向の力に対する抵抗力）が高い。【００６５】
ラッチ機構４４は、図９の（ｂ）および図１０に示すように、前後方向に進退可能な前後動部材４４ａと、この前後動部材４４ａの前側に設けられた付勢部材４４ｂと、前後動部材４４ａをスライド可能に保持する台座４４ｃと、前後動部材４４ａを前方へ移動させるための解除レバー４４ｄとを具備している。【００６６】
前後動部材４４ａは、後方へ向って移動（進出）したときに、後側マウント部Ｒ１に設けられた複数の取付孔Ｈ，Ｈ，…のいずれか一つに前面側から入り込み（図９の（ｂ）参照）、前方へ向って移動（後退）したときに、取付孔Ｈから離脱する。本実施形態の前後動部材４４ａは、所謂ラッチボルトであり、その先端部（後端部）が三角柱状に形成されている。前後動部材４４ａは、後側対向部４１の平板部４１ａと交差する位置に設けられており、後方へ向って移動すると、先端部が開口部４１ｃに挿入される。【００６７】
付勢部材４４ｂは、前方へ向って移動した前後動部材４４ａを後方へ押し戻す役割を担うものである。本実施形態の付勢部材４４ｂは、コイルばねからなり、前後動部材４４ａの前端面とケース４４ｃの前壁４４３との間に配置されている。なお、コイルばねに代えて、皿ばね、板ばね、ゴムなどを使用しても差し支えない。【００６８】
台座４４ｃは、後側繋ぎ部４３の第三平板部４３ｃに固着される側壁４４１と、前後動部材４４ａを抱持する後壁４４２と、付勢部材４４ｂの反力受けとなる前壁４４３と、前後動部材４４ａの後方向への抜け出しを阻止するストッパー４４４とを具備している。ストッパー４４４は、側壁４４１を切り起こして形成したものであり、前後動部材４４ａに設けた凹部４４５に入り込んでいる。【００６９】
解除レバー４４ｄは、前後動部材４４ａに接続された棒状部材４４ｅを介して前後動部材４４ａと連結されている。棒状部材４４ｅは、台座４４ｃの前壁４４３に設けた図示せぬ開口部および第二平板部４３ｂに設けた図示せぬ開口部に挿通されており、かつ、前後動部材４４ａの前端面と解除レバー４４ｄの後面とに接続されている。【００７０】
なお、本実施形態では、ラッチ機構４４を一箇所に設けた形態を例示しているが、二つ以上のラッチ機構４４を上下に並べてもよい。【００７１】
（棚本体Ｓ２の構成）
図１１の（ａ）に示すように、棚本体Ｓ２は、平面視矩形状を呈する面状部６１と、この面状部６１の前端縁に形成された前板部６２と、面状部６１の後端縁に形成された後板部６３と、前板部６２の左右両側のそれぞれに設けられたラッチ機構６４，６４とを具備している。【００７２】
面状部６１は、平板状を呈している。なお、図示は省略するが、金網やパンチングメタル（有孔板）などを利用して面状部６１を形成してもよい。【００７３】
前板部６２は、面状部６１の前端縁から下方向に向って延出している。本実施形態の前板部６２は、断面Ｌ字状を呈している（図１１の（ｂ）参照）。【００７４】
後板部６３は、面状部６１の後端縁から下方向に向って延出している。本実施形態の後板部６３は、断面Ｌ字状を呈している（図１１の（ｂ）参照）。【００７５】
ラッチ機構６４は、左右方向に進退可能な左右動部材６４ａと、左右動部材６４ａを収容するケース６４ｂと、左右動部材６４ａを内側へ移動させるための解除レバー６４ｃとを具備している。【００７６】
左右動部材６４ａは、受け座２４に設けた係合穴２４ａ（図６の（ａ）参照）に対向する位置に設けられていて、係合穴２４ａに向って進出したときに、係合穴２４ａに入り込み、係合穴２４ａから遠ざかる方向に向って後退したときに、係合穴２４ａから離脱する。本実施形態の左右動部材６４ａは、所謂ラッチボルトであり、その先端部（後端部）が三角柱状に形成されている。【００７７】
ケース６４ｂは、前板部６２の後面に固定されている。ケース６４ｂの内部には、係合穴２４ａから遠ざかる方向へ後退した状態の左右動部材６４ａを係合穴２４ａ側へ押し戻す図示せぬ付勢部材が内包されている。【００７８】
解除レバー６４ｃは、ケース６４ｂの内部において左右動部材６４ａに接続されている。解除レバー６４ｃは、前板部６２に設けた開口部に挿通されており、前板部６２の前面に露出している（図１１の（ｃ）参照）。【００７９】
なお、棚本体Ｓ２のうち、面状部６１、前板部６２および後板部６３は、ステンレス鋼板やアルミニウム合金板にプレス加工等を施すことにより形成することができる。【００８０】
次に、本実施形態に係る棚板ユニットＳの収納ラックＣへの取付方法を説明する。
図２に示すように、棚板ユニットＳを収納ラックＣに取り付ける場合には、まず、左右の棚受け部材Ｓ１，Ｓ１のそれぞれを、前側マウント部Ｆ１および後側マウント部Ｒ１に架設し、その後、左右の棚受け部材Ｓ１，Ｓ１間に棚本体Ｓ２を敷設すればよい。【００８１】
棚受け部材Ｓ１を、前側マウント部Ｆ１および後側マウント部Ｒ１に架設する場合には、棚受け部材Ｓ１の長さを前側マウント部Ｆ１と後側マウント部Ｒ１の離間距離に合わせて調節しつつ、図１２の（ａ）および（ｂ）に示すように、棚受け部材Ｓ１の前端部分を前側マウント部Ｆ１に接続するとともに、棚受け部材Ｓ１の後端部分を後側マウント部Ｒ１に接続すればよい。なお、棚受け部材Ｓ１の前端部分を前側マウント部Ｆ１に接続した後に、後端部分を後側マウント部Ｒ１へ接続してもよいし、その逆でも差し支えない。【００８２】
棚受け部材Ｓ１の前端部分を前側マウント部Ｆ１に接続する場合には、まず、前側接続端部２０を前側マウント部Ｆ１の内側縁の側方に位置させ、次に、前側掛止部２２を前側マウント部Ｆ１の前面側から取付孔Ｈに挿入させつつ、前側対向部２１を前側マウント部Ｆ１の前面に対向させればよい（図６参照）。【００８３】
前側対向部２１を前側マウント部Ｆ１の前面に対向させると、ネジ止め等を行わずとも、前側接続端部２０の後方向への移動が阻止されるようになり、前側掛止部２２を取付孔Ｈに挿入させると、ネジ止め等を行わずとも、前側接続端部２０の上下方向への移動が阻止されるようになる。なお、本実施形態においては、図６の（ｂ）に示すように、前側掛止部２２の延長部２２ｂが、前側マウント部Ｆ１の後面側において取付孔Ｈの開口縁部Ｆ１１に対向するようになるので、ネジ止め等を行わずとも、前側接続端部２０の前方向への移動が阻止されるようになる。【００８４】
棚受け部材Ｓ１の後端部分を後側マウント部Ｒ１に接続する場合も同様であるが、後端部分にはラッチ機構４４（図６の（ｃ）参照）が装備されているので、ネジ止め等を行わずとも、後側接続端部４０の左右方向への移動が阻止されるようになる。【００８５】
図１３に示す左側の棚受け部材Ｓ１の後端部分を例にして、後側マウント部Ｒ１への接続方法をより詳細に説明する。図１３の（ａ）に示すように、まず、後側接続端部４０を後側マウント部Ｒ１の内側縁の右側方に位置させ、次に、図示は省略するが、後側マウント部Ｒ１の後側から後側掛止部４２を取付孔Ｈに挿入させる。後側掛止部４２を取付孔Ｈに挿入した状態で後側接続端部４０を左側に押し込むと、前後動部材４４ａの傾斜面が後側マウント部Ｒ１の内側縁に当接するが、後側接続端部４０をさらに左側に押し込むと、図１３の（ｂ）に示すように、前後動部材４４ａが付勢部材４４ｂの復元力に抗して前方に移動する。図１３の（ｃ）に示すように、取付孔Ｈの開口縁部を乗り越えると、付勢部材４４ｂの復元力により前後動部材４４ａが後方に押し戻され、前後動部材４４ａの先端部が取付孔Ｈと後側対向部４１の開口部４１ｃに入り込み、その結果、後側接続端部４０の左右方向への移動が阻止されるようになる。【００８６】
前後動部材４４ａが取付孔Ｈに入り込むと、後側接続端部４０の左右方向への移動が阻止される結果、後側接続端部４０の前後方向への移動が阻止された状態（すなわち、後側対向部４１が後側マウント部Ｒ１の後面に対向し、後側掛止部４２の延長部４２ｂが後側マウント部Ｒ１の前面に対向した状態）、および、後側接続端部４０の上下方向への移動が阻止された状態（すなわち、後側掛止部４２の挿入部４２ａが後側マウント部Ｒ１の取付孔Ｈに入り込んだ状態）が維持されるようになり、後側接続端部４０の取付状態が安定するようになる。【００８７】
左右の棚受け部材Ｓ１，Ｓ１を設置したならば、図１４の（ａ）および（ｂ）に示すように、左右の棚受け部材Ｓ１，Ｓ１間に棚本体Ｓ２を設置する。具体的には、図１４の（ａ）に示すように、棚本体Ｓ２の前端部分を左右の前側マウント部Ｆ１，Ｆ１を結ぶ線よりも前方に位置させつつ、棚本体Ｓ２の左右両側を棚受け部材Ｓ１，Ｓ１に載置し、その後、図１４の（ｂ）に示すように、棚本体Ｓ２を後方にスライドさせればよい。【００８８】
なお、図１４の（ａ）の状態から、棚本体Ｓ２を後方へスライドさせると、左側の左右動部材６４ａの傾斜面が左側の棚受け部材Ｓ１の受け座２４に当接し、右側の左右動部材６４ａの傾斜面が右側の棚受け部材Ｓ１の受け座２４に当接するが、棚本体Ｓ２をさらに後方に押し込むと、各左右動部材６４ａがケース６４ｂ内の図示せぬ付勢部材を縮めながら、各受け座２４から遠ざかる方向に移動する。左右動部材６４ａが受け座２４の係合穴２４ａ（図６の（ａ）参照）の開口縁部を乗り越えると、付勢部材の復元力により左右動部材６４ａが係合穴２４ａに向って移動し、左右動部材６４ａの先端部分が係合穴２４ａに入り込む。左右の左右動部材６４ａが、それぞれ対応する係合穴２４ａに入り込むと、棚本体Ｓ２の前後方向への移動が阻止されるようになり、さらには、棚本体Ｓ２の前端部分の上下方向への移動が阻止されるようになるので、棚本体Ｓ２と棚受け部材Ｓ１，Ｓ１の一体性が向上する。【００８９】
また、左側の左右動部材６４ａが左側の棚受け部材Ｓ１の係合穴２４ａ（図６の（ａ）参照）に入り込むと、ネジ止め等を行わずとも、左右の棚受け部材Ｓ１，Ｓ１の離隔距離が保持されるようになる。特に本実施形態においては、左右動部材６４ａ，６４ａを棚本体Ｓ２の前端部分に取り付けるとともに、係合穴２４ａを棚受け部材Ｓ１の前側接続端部２０の側面に形成しているので、これらを係合させると、左側の棚受け部材Ｓ１においては、前側接続端部２０の右方向への移動が阻止されるようになり、同様に、右側の棚受け部材Ｓ１においては、前側接続端部２０の左方向への移動が阻止されるようになる。つまり、前側接続端部２０の前側マウント部Ｆ１からの脱落が完全に阻止されるようになり、その結果、前側接続端部２０の前後方向への移動が阻止された状態（すなわち、前側対向部２１が前側マウント部Ｆ１の前面に対向し、前側掛止部２２の延長部２２ｂが前側マウント部の後面に対向した状態）、および、前側接続端部２０の上下方向への移動が阻止された状態（すなわち、前側掛止部２２の挿入部２２ａが前側マウント部Ｆ１の取付孔Ｈに入り込んだ状態）が維持されるようになる。【００９０】
なお、図示は省略するが、棚本体Ｓ２の前板部６２の側端を棚受け部材Ｓ１の前側接続端部２０の側面に当接させるだけでも、左右の棚受け部材Ｓ１，Ｓ１の離隔距離を保持することができる。この場合、棚本体Ｓ２に設けたラッチ機構６４，６４を省略してもよい。また、棚受け部材Ｓ１の上板部１１にスリット若しくは凹部を設けるとともに、前記スリット若しくは前記凹部に入り込む係合突起を棚本体Ｓ２の側縁部に設けることでも、左右の棚受け部材Ｓ１，Ｓ１の離隔距離を保持することができる。【００９１】
棚板ユニットＳを収納ラックＣから取り外す場合には、まず、棚本体Ｓ２を取り除き、その後、棚受け部材Ｓ１，Ｓ１を取り除けばよい。棚本体Ｓ２を取り除く際には、棚本体Ｓ２の解除レバー６４ｃ，６４ｃを操作して左右動部材６４ａ，６４ａを係合穴２４ａ，２４ａ（図６の（ａ）参照）から離脱させる。また、棚受け部材Ｓ１の後側接続端部４０を後側マウント部Ｒ１から離脱させる際には、解除レバー４４ｄ（図９の（ａ）参照）を前方に移動して前後動部材４４ａを開口部４１ｃおよび取付孔Ｈから離脱させる。【００９２】
以上説明した本実施形態に係る棚板ユニットＳによれば、ネジや工具を使用することなくマウントフレームＦ，Ｒへの取付作業およびマウントフレームＦ，Ｒからの取外し作業を行うことが可能になるので、取付・取外し作業を簡単かつ迅速に行うことが可能になる。【００９３】
また、本実施形態に係る棚板ユニットＳは、ＥＩＡ規格に準拠した構成を具備しているので、汎用性が高い。【００９４】
なお、本実施形態では、棚受け部材Ｓ１の後端部分に前後動部材４４ａを取り付けた場合を例示したが、前端部分に前後動部材を取り付けても勿論差し支えない。すなわち、ラッチ機構を棚受け部材Ｓ１の前側接続端部２０に設けてもよい。ちなみに、本実施形態の棚受け部材Ｓ１の前後を逆にすると、棚受け部材の前側接続端部に前後動部材が装備された構成となる。【００９５】
本実施形態では、複数の取付孔Ｈ，Ｈ，…がユニバーサルピッチで並ぶ形式のマウントフレームに適用する棚板ユニットＳを例示したが、本発明の適用範囲を限定する趣旨ではない。本発明の棚板ユニットおよび棚受け部材は、オルタネィテブピッチ（ワイドピッチ）で並ぶ形式のマウントフレームにも適用することができるし、ＥＩＡ規格以外の規格（例えば、ＪＩＳ規格や製造メーカが独自に採用する規格など）に準拠した収納ラックに適用することもできる。
【図１】
2009133598.tif 000003
【図２】
2009133598.tif 000004
【図３】
2009133598.tif 000005
【図４】
2009133598.tif 000006
【図５】
2009133598.tif 000007
【図６】
2009133598.tif 000008
【図７】
2009133598.tif 000009
【図８】
2009133598.tif 000010
【図９】
2009133598.tif 000011
【図１０】
2009133598.tif 000012
【図１１】
2009133598.tif 000013
【図１２】
2009133598.tif 000014
【図１３】
2009133598.tif 000015
【図１４】
2009133598.tif 000016
【国際調査報告】
2009133598.tif 000017
2009133598.tif 000018
2009133598.tif 000019